(57)【要約】      （修正有）【課題】生魚類の水槽にあって、エサの残さいや糞等による水の汚れに伴う水の取り換え頻度の軽減効果を上げることができる水槽内浮遊物除去具を提供する。【解決手段】水槽内に沈める水槽内浮遊物除去具であり、お椀状の枠を備え、中央付近には煙突状の突出部を備える、煙突状の突出物には少なくとも１個以上の孔又は、Ｕ字状の切り口があり、お椀状と煙突状の底面は、水が通過しない形状になっている。【選択図】図２
0003208947.tif 000002
【実用新案登録請求の範囲】
【請求項１】
生魚類の水槽にあって、水槽内に沈める水槽内浮遊物除去具であり、その形状はお椀状の枠を備え、その中央付近は煙突状の突出部を備えている。
【請求項２】
前記煙突状の突出物には少なくとも１個以上の孔又は、Ｕ字状の切り口があることを特徴とした水槽内浮遊物除去具。
【請求項３】
前記水槽内浮遊物除去具は、お椀状と煙突状の底面は、水が通過しない形状になっている。
【請求項４】
前記水槽内浮遊物除去具は、お椀状の枠より煙突状の突出部は高くなっていることを特徴としている。
【請求項５】
前記水槽内浮遊物除去具は、確実に水没する比重になっていることを特徴とする。
【考案の詳細な説明】
【技術分野】
【０００１】  本考案は、水槽内の生魚類の動きや、意図的な水の動きによって沈殿している物質が浮遊する、その浮遊物を除去する水槽内浮遊物除去具に関するものである。
【背景技術】
【０００２】  水槽内では、生魚類の糞などが細かい異物になり水が鎮静すると沈殿する。生魚類が動き回るか意図的に水を動かすと沈殿物が水槽内に舞い上がり透明度が著しく悪くなり鑑賞の妨げになるとともに、不衛生である。この現象を取り除くための浄化装置が知られている。
【特許文献】特開２０１６−１０６５９２
【考案が解決しようとする課題】
【０００３】  このような背景のもと、水槽内の水を頻繁に取り換える必要があるが、省資源志向に逆行する。
このような中、特開２０１６−１０６５９２号公報では、水質維持手段としてバクテリアを供給する粒状の水槽低床材が開示されている。
【０００４】  しかしながら、このような方法では、バクテリアを供給する粒状の水槽用低床材と他の観賞用の粒状の水槽用低床材と混合し、清掃に難点があった。
更に、バクテリアを供給する粒状の水槽用低床材だけでは、鑑賞を目的とした場合において、工夫が制限され、面白みに欠けるものである。
本願の考案は、このような問題を解決するためになされたものであり、水槽用具を水槽に沈めておくだけで生魚類の動きなどによって発生する水槽内動水に舞い上がる浮遊物を収集する技術的意義を有するものである。
【考案の概要】
【課題を解決するための手段】
【０００５】上記課題を解決するため、本願の考案は、水槽内浮遊物除去具にあって、お椀状の枠を備え、その中央部付近に煙突状の突出部を備え、その煙突状の突出部には少なくとも１個以上の孔、又はＵ字状の切り口を備えた構成を有する。
【考案の効果】
【０００６】  以下に説明する通り、本願の考案によれば、水槽内の生魚類の動きなどによって沈殿している物質が舞上り、水の動きに沿って浮遊する。その浮遊物は水槽内浮遊物除去具の壁によって動きが阻止され、お椀状の内側内に沈殿する。
【図面の簡単な説明】
【０００７】
【図１】第１の実施の形態に係る水槽浮遊物除去水槽用具と、生魚類が入っている水槽の側面図透視である。
【図２】第一の実施の形態に係る図１のＡ‐Ａ付近の縦断面図である。
【図３】第一の実施の形態に係る水槽浮遊物除去具の斜面図である。
【図４】第一の実施の形態に係る図３の孔又はＵ字状の切り口側を示した側面図である。
【図５】第一の実施の形態に係る、図４のＢ‐Ｂ付近の浮遊物の動きを示した縦断面図である。
【図６】第二の実施の形態に係る水槽浮遊物除去具の孔又はＵ字状の切り口側と各部品を示した側面図である。
【図７】第二の実施の形態に係る図６のＣ‐Ｃ付近の縦断面図である。
【図８】第二の実施の形態に係る図６の部品分解斜面図である。
【考案を実施するための形態】
【０００８】  以下、本願の考案を実施するための最良形態（以下、実施形態）について説明する。
以下の説明では、水槽内浮遊物除去具として開発された水槽用具を例にして説明する。
図１は、実施形態に係る水槽側面透視図、図２は、図１のＡ‐Ａ付近断面図で水槽内に沈められた状態を示した縦断面略図、図３は、水槽内浮遊物除去具の斜面図、図４は、図３に示している水槽内浮遊物除去具の側面図、図５は、図４に示すＢ‐Ｂ付近の縦断面図である。
【０００９】  第一の実施形態について説明する。
図２に示す生魚類２の動き等によって、沈殿していた物質が浮遊物４として水槽内をさ迷う。さ迷っている浮遊物４は、図５に示す水槽内浮遊物除去具の煙突状の突起物に備えている孔又はＵ字型の切り口内に侵入する。侵入した浮遊物４は、動きが鈍くなりお椀状の内部に沈殿する。
【００１０】  図５における煙突状の突起物外側付近にさ迷っている浮遊物４は動きが鈍くなりお椀型内部へと導く効果がある。
【００１１】  第二の実施形態について説明する。
本願の考案の水槽内浮遊物除去具は、必ずしも一体形状ではなく分割組立でも第一の実施形態と同様の効果を保持するものである。図６は部品分割した側面形態を示すものであり、図７は、図６のＣ‐Ｃ付近縦断面図であり、煙突状の部品８とお椀状の部品９を備えたものである。煙突状の部品８には孔又はＵ字状の切り口が備えていることは言うまでもない。
【００１２】  水槽内の浮遊物の除去効果により、水槽の水の取り換え頻度を少なくする効果があり、資源の無駄を避ける効果がある。
【００１３】  限られた水槽内において、意匠された鑑賞用の置物と実用を兼ねることができ、安価に提供できる。
【符号の説明】
【００１４】１水槽浮遊物除去具
２生魚類
３水
４浮遊物
５水槽
６煙突状の突起部
７お椀状の枠
８煙突状の部品
９お椀状の部品
【図１】
0003208947.tif 000003
【図２】
0003208947.tif 000004
【図３】
0003208947.tif 000005
【図４】
0003208947.tif 000006
【図５】
0003208947.tif 000007
【図６】
0003208947.tif 000008
【図７】
0003208947.tif 000009
【図８】
0003208947.tif 000010
【手続補正書】
【提出日】平成28年11月24日(2016.11.24)
【手続補正１】
【補正対象書類名】実用新案登録請求の範囲
【補正対象項目名】全文
【補正方法】変更
【補正の内容】
【実用新案登録請求の範囲】
【請求項１】
生魚類の水槽にあって、水槽内に沈める水槽内浮遊物除去具であり、その形状はお椀状の枠を備え、その中央付近は煙突状の突出部を備えている、ことを特徴とする、水槽内浮遊物除去具。
【請求項２】
前記煙突状の突出物には少なくとも１個以上の孔又は、Ｕ字状の切り口があることを特徴とする、請求１に記載の水槽内浮遊物除去具。
【請求項３】
前記水槽内浮遊物除去具は、お椀状と煙突状の底面は、水が通過しない形状になっていることを特徴とする、請求項１又は２に記載の水槽内浮遊物除去具。
【請求項４】
前記水槽内浮遊物除去具は、お椀状の枠より煙突状の突出部は高くなっていることを特徴とする、請求項１−３のいずれか１項に記載の水槽内浮遊物除去具。
【請求項５】
前記水槽内浮遊物除去具は、確実に水没する比重になっていることを特徴とする、請求項１−４のいずれか１項に記載の水槽内浮遊物除去具。